(57)【特許請求の範囲】
【請求項１】
筒本体に装填されたロケット花火に着火させることによって、当該筒本体からロケット花火を発射させるとともに、前記筒本体に挿入されたロケット花火からの噴射炎の漏れを防止する開閉可能な第一シャッターを有するロケット花火発射装置において、
前記筒本体を、後方の挿入口からロケット花火を挿入できるように構成し、
前記第一シャッターが、筒本体の後方からロケット花火が挿入された際に開き、ロケット花火の燃焼部が通過した際に閉じるように構成されたものであるロケット花火発射装置。
【請求項２】
請求項１に記載のロケット花火発射装置において、さらに、
ロケット花火に着火する着火装置を有し、
当該着火装置とロケット花火との間を開閉可能に仕切る第二シャッターを設けたロケット花火発射装置。
【請求項３】
前記第一シャッターが、ロケット花火を挿入した後、引き戻すことで導火線を分離できるようにしたものである請求項１に記載のロケット花火発射装置。
【発明の詳細な説明】
【技術分野】
【０００１】
本発明は、ロケット花火を利用して鹿や猪などの有害動物を忌避できるようにしたロケット花火発射装置に関するものであり、より詳しくは、筒本体にロケット花火を挿入しやすくするとともに、発射時における噴射炎の漏れを防止できるようにしたロケット花火発射装置に関するものである。
【背景技術】
【０００２】
近年、山間部やこれに近い地域では、鹿や猪などの有害動物を忌避することが行われている。このような忌避の方法としては、光や音などで動物を威嚇する方法の他、例えば、下記の特許文献１に記載されるように、ロケット花火の発射音や爆発音などを用いて動物を忌避させるような方法などがある。
【０００３】
図６に、特許文献１に記載される動物忌避のためのロケット花火発射装置について説明する。
【０００４】
図６において、符号９１は、筒本体であり、ロケット花火８を挿入できるようにしたものである。この筒本体９１には、前方からロケット花火８の軸８３が挿入され、その筒本体９１の奥方に設けられた軸穴９２にその軸８３が挿入される。また、このとき、ロケット花火８の導火線８２は、その軸穴９２の下側に設けられた導火線穴９３に分離した状態で挿入され、そこから先端部分を突出させるようになっている。また、符号９４は、その装置を把持するための把持部であり、発射用のレバー９５を操作できるようにしたものである。また、符号９６は着火部であり、把持部９４の内側に設けられたバッテリーを用いて熱線を加熱させ、導火線８２に着火させるようにしたものである。そして、このような構成において、ロケット花火８を装填した装置を使用する場合には、把持部９４を把持した状態でロケット花火８を所望の方向に向け、レバー９５を引くことによって着火部９６で導火線８２に火を付けてロケット花火８を発射させるようにする。
【先行技術文献】
【特許文献】
【０００５】
【特許文献１】特開２０１３−１５２３０号公報
【発明の概要】
【発明が解決しようとする課題】
【０００６】
しかしながら、このようなロケット花火発射装置を使用する場合、次のような問題がある。
【０００７】
すなわち、上記特許文献１に記載されるようなロケット花火発射装置は、前方からロケット花火８を挿入するものであるが、この際、そのロケット花火８の軸８３や導火線８２を軸穴９２や導火線穴９３に通す必要がある。しかるに、このような軸８３や導火線８２をそれぞれの穴９２、９３に挿入するためには、軸８３や導火線８２を位置決めして挿入しなければならず、相当に時間が掛かってしまう。また、ロケット花火の軸８３は、製造誤差によって太さが異なり、導火線８２の取り付け位置も異なるため、これに対応すべく、軸穴９２や導火線穴９３を大きく設定しておく必要があるが、このように径を大きくすると、発射時の噴射炎がそれぞれの穴９２、９３の隙間から漏れてしまい、その噴射炎が手に当たったり、発射時の金属酸化粉が着火部９６に付着して劣化させてしまうなどの問題があった。
【０００８】
そこで、本発明は上記課題を解決するために、ロケット花火を迅速かつ容易に装着できるようにするとともに、噴射炎が漏れないようにしたロケット花火発射装置を提供することを目的とする。
【課題を解決するための手段】
【０００９】
すなわち、本発明は上記課題を解決するために、筒本体に装填されたロケット花火に着火させることによって、当該筒本体からロケット花火を発射させるとともに、前記筒本体に挿入されたロケット花火からの噴射炎の漏れを防止する開閉可能な第一シャッターを有するロケット花火発射装置において、前記筒本体を、後方の挿入口からロケット花火を挿入できるように構成し、前記第一シャッターが、筒本体の後方からロケット花火が挿入された際に開き、ロケット花火の燃焼部が通過した際に閉じるように構成されたものである。
【００１０】
また、このような発明において、さらに、ロケット花火に着火する着火装置を有し、当該着火装置とロケット花火との間を開閉可能に仕切る第二シャッターを設けるようにする。
【００１１】
さらに、前記第一シャッターが、ロケット花火を挿入した後、引き戻すことで導火線を分離できるようにする。
【発明の効果】
【００１２】
本発明によれば、筒本体に装填されたロケット花火に着火させることによって、当該筒本体からロケット花火を発射させるとともに、前記筒本体に挿入されたロケット花火からの噴射炎の漏れを防止する開閉可能な第一シャッターを有するロケット花火発射装置において、前記筒本体を、後方の挿入口からロケット花火を挿入できるように構成し、前記第一シャッターが、筒本体の後方からロケット花火が挿入された際に開き、ロケット花火の燃焼部が通過した際に閉じるように構成したので、ロケット花火の挿入時にはシャッターを開けて挿入しやすくすることができるとともに、着火時にはシャッターを閉じて噴射炎の漏れを防止することができるようになる。また、後方からロケット花火を挿入するだけで第一シャッターを開閉させてロケット花火の挿入を容易にすることができ、かつ、噴射炎の漏れを防止することができるようになる。
【図面の簡単な説明】
【００１３】
【図１】本発明の一実施の形態を示すロケット花火発射装置の側面概略図
【図２】同形態の主要部を示す分解図
【図３】図１において、後方からロケット花火を挿入する際の状態図
【図４】同形態においてロケット花火の引き戻しと、着火時の状態図
【図５】同形態におけるロケット花火を発射させる際の状態図
【図６】従来例におけるロケット花火発射装置を示す図
【発明を実施するための形態】
【００１４】
以下、本発明の一実施の形態におけるロケット花火発射装置１について図面を参照しながら説明する。
【００１５】
この実施の形態におけるロケット花火発射装置１は、片手で持てる銃のような形状を有するものであって、図１に示すように、ロケット花火８を挿入する筒本体２と、その筒本体２を特定の方向に向けた状態で把持できるにした把持部５を備え、その把持部５の内部に着脱可能に着火装置７を取り付けられるようにしたものである。そして、特徴的に、ロケット花火８を筒本体２の後方から挿入できるようにするとともに、そのロケット花火８を挿入する際には、逆止弁のように下方に回動し、そのロケット花火８の前方の燃焼部８１を通過させた後には筒本体２の内側空間を閉じるように戻す第一シャッター３を設けるようにしたものである。また、これに加えて、導火線８２に着火させる際には、その導火線８２と着火装置７との間を開放して着火できるようにするとともに、導火線８２に着火した後にはその着火装置７と導火線８２との間を閉じるようにした第二シャッター６を設け、これによって、着火装置７を保護できるようにしたものである。以下、本発明の一実施の形態について詳細に説明する。
【００１６】
まず、筒本体２は円筒状をなす金属部材で構成されるものであって、一本のロケット花火８を軸方向に挿入できるように構成されている。この筒本体２の後方には、ロケット花火８を挿入できるようにした円形の挿入口２１が設けられており、この挿入口２１からロケット花火８を挿入できるようにしている。この挿入口２１は、ラビリンス構造を有するように構成されており、挿入されたロケット花火８の噴射炎が後方へ漏れることを防止できるようにしている。
【００１７】
この筒本体２の後方側には、第一シャッター３が設けられる。この第一シャッター３は、図３（ａ）に示すように、挿入口２１からロケット花火８が挿入された場合に、回動軸３１を中心に上端部を下方に回動させることでロケット花火８の燃焼部８１を通過させ、また、その燃焼部８１を通過させた際には、図３（ｂ）に示すように、バネ３２の押圧力によって再び上端部を上方に回動させて筒本体２を塞ぐように構成される。ここでは、この第一シャッター３を逆止弁を構成するように傾斜させており、これによって、ロケット花火８を後方から挿入できるようにしている。また、この第一シャッター３の上端部には、図２に示すように、ロケット花火８の軸８３を通すことができるようにした凹部３３が形成されている。この凹部３３は、第一シャッター３を閉じた際に軸８３との間に僅かな隙間を形成できるようにしたものであって、これによってロケット花火８を発射する際に、軸８３をスムーズに引き出させるようにしている。なお、この凹部３３から漏れた噴射炎はある程度後方へと流れるようになるが、挿入口２１に設けられたラビリンス構造によってその噴射炎の漏れが抑制されることになる。
【００１８】
この第一シャッター３の前面側の傾斜した部分には、ロケット花火８の導火線８２を着火装置７の方向へと誘導する誘導部４が設けられる。この第一シャッター３は傾斜した状態で設けられており、後方からロケット花火８を挿入して引き戻すことで（図４（ｃ）の状態）、導火線８２をその傾斜面に沿って下方へ分離できるようにしている。このとき、その導火線８２を出来る限り着火装置７に近づける必要があるため、ここでは、図２に示すように、第一シャッター３の前面下方側にチャネル状（コの字状）に誘導部４を設け、その左右の壁面４１を下方側に向けて幅狭となるように形成することで、先端部分を位置決めした状態で着火装置７に近づけるようにしている。
【００１９】
次に、着火装置７の構造について説明する。
【００２０】
この着火装置７は、把持部５の内部に着脱可能に収容されるライターによって構成されるものであって、その先端部分から出力される火で着火できるようにしたものである。このライターを装着する際は、把持部５の前面側の開口した部分からノズル部分を先に挿入し、その後、本体部分を押し込むことによって装着される。そして、把持部５から露出するように設けられたレバー７１を人差指で引くことによって導火線８２に着火させられるようにしている。この着火装置７のノズルの先端位置は、導火線８２に近い位置に設けられており、これによって、小さい炎でも導火線８２に着火できるようにしている。
【００２１】
このように着火装置７のノズルを導火線８２に近づけるようにした場合、着火時の炎によってノズルやライターの樹脂部分が溶けたり、あるいは、噴射炎によってノズル付近に金属粉が付着してしまって、錆びたり放電しなくなったりする可能性がある。そこで、ここでは、導火線８２への着火後にノズルと導火線８２との間を閉じるようにした第二シャッター６を設けるようにしている。
【００２２】
この第二シャッター６は、図４（ｄ）に示すように、把持部５の後方部分に突出するレバー６１を押下することで着火装置７と導火線８２との隙間を開けられるようにするとともに、そのレバー６１を離すことによって、その隙間を閉じられるように構成される。このとき、レバー６１は、着火装置７のレバー７１と反対側の把持部５の後方に設けられているため、人差指と親指で同時に着火操作と第二シャッター６の開放を行うことができるようになる。この第二シャッター６は、回動軸６２を中心に回動可能に設けられており、常時バネ６３の力によって導火線８２と着火装置７の隙間を遮断できるようになっている。
【００２３】
次に、このように構成されたロケット花火発射装置１の使用方法について説明する。
【００２４】
まず、ロケット花火発射装置１を使用する場合、一本のロケット花火８を筒本体２の後方の挿入口２１から挿入していく（図１）。すると、図３（ａ）に示すように、そのロケット花火８の燃焼部８１が第一シャッター３の背面側に当たり、バネ３２の押圧力に抗して第一シャッター３の上端部を下方に押し下げるようになる。さらにその状態から、ロケット花火８を押し込んでいくと、ロケット花火８の燃焼部８１が第一シャッター３を通過して、バネ３２の力によって第一シャッター３が元に戻るように回動する（図３（ｂ））。これにより、第一シャッター３によって筒本体２の後方部分が遮断されるようになる。このとき、挿入されたロケット花火８の軸８３は、図２に示すように、第一シャッター３の上端部に設けられた凹部３３の内側に位置するようになる。
【００２５】
そして、その状態で、今度はロケット花火８の軸８３を引き戻す（図４（ｃ））。すると、燃焼部８１の後方に設けられた導火線８２が、第一シャッター３の傾斜面に沿って下方に分離し、チャネル状の誘導部４に導かれる。そして、下方に向けて互いの壁面４１が幅狭となるように設けられた誘導部４によって導火線８２の先端部分が着火装置７の近傍に位置決めされる。これにより、ロケット花火８を発射できるような状態にする。
【００２６】
この状態でロケット花火８を発射させる場合は、銃口を発射方向に向け、把持部５の後方に設けられたレバー６１を押下する（図４（ｄ））。すると、第二シャッター６が回動して着火装置７と導火線８２との間が開放され、着火できる状態となる。そして、その状態で着火装置７のレバー７１を動作させると、炎が出力され、導火線８２に火が付けられる。このとき、把持部５の後方側に設けられたレバー６１を離すことによって、第二シャッター６を閉じて着火装置７が保護された状態となる。
【００２７】
この火が導火線８２を介して燃焼部８１まで到達すると、その内部の火薬に火がつき、発射方向にロケット花火８を発射することができるようになる（図５）。このとき、噴射炎は、第一シャッター３によって後方への漏れが遮断されるとともに、第二シャッター６によって、着火装置７への漏れが遮断されることになる。
【００２８】
このように上記実施の形態によれば、筒本体２に装填されたロケット花火８に着火させることによって、当該筒本体２からロケット花火８を発射させるとともに、前記筒本体２に挿入されたロケット花火８からの噴射炎の漏れを防止する開閉可能な第一シャッター３を有するロケット花火発射装置１において、前記筒本体２を、後方の挿入口２１からロケット花火8を挿入できるように構成し、前記第一シャッター３が、筒本体２の後方からロケット花火８が挿入された際に開き、ロケット花火８の燃焼部８１が通過した際に閉じるように構成したので、ロケット花火８の挿入時には第一シャッター３を開けて挿入しやすくすることができるとともに、着火時には第一シャッター３を閉じて噴射炎の漏れを防止することができるようになる。また、後方からロケット花火８を挿入するだけで第一シャッター３を開閉させてロケット花火８の挿入を容易にすることができ、かつ、噴射炎の漏れを防止することができるようになる。また、後方からロケット花火８を挿入するだけで第一シャッター３を開閉させてロケット花火８を容易に挿入することができる。
【００２９】
また、ロケット花火８と着火装置７との間を開閉可能に仕切る第二シャッター６を設けるようにしたので、噴射炎が着火装置７にかかることを防ぐことができ、着火装置７に噴射時の金属粉などが付着して錆びてしまうことや、ライターの樹脂が溶けてしまうようなことを防ぐことができる。
【００３０】
さらに、第一シャッター３を設ける場合、ロケット花火８を挿入した後、引き戻すことで導火線８２を分離できるようにしたので、噴射炎の漏れの防止とともに、導火線８２の分離も同時に行うことができ、その分離された導火線８２に着火させやすくすることができるようになる。
【００３１】
なお、本発明によれば、上記実施の形態に限定されることなく、種々の態様で実施することができる。
【００３２】
例えば、上記実施の形態では、第二シャッター６を設けて着火装置７を保護するようにしたが、第二シャッター６を設けることなく、第一シャッター３だけを設けるようにしてもよい。
【００３３】
また、上記実施の形態では、一本のロケット花火８を挿入する場合について説明したが、複数本のロケット花火を挿入できるようにしてもよい。
【００３４】
さらに、上記実施の形態では、動物を忌避する場合について説明したが、これとは別の用途に用いるようにしてもよい。これ以外の用途としては、例えば、遭難信号の発射用装置、運動会などの合図信号要素打ち、ゲームなどで利用される装置などが考えられる。
【００３５】
また、上記実施の形態では、銃の形状をしたロケット花火発射装置１を例に挙げて説明したが、その形状については他の形状をであってもよい。
【符号の説明】
【００３６】
１・・・ロケット花火発射装置
２・・・筒本体
２１・・・挿入口
３・・・第一シャッター
３１・・・回動軸
３２・・・バネ
３３・・・凹部
４・・・誘導部
４１・・・壁面
５・・・把持部
６・・・第二シャッター
６１・・・レバー
６２・・・回動軸
６３・・・バネ
７・・・着火装置
７１・・・レバー
８・・・ロケット花火
８１・・・燃焼部
８２・・・導火線
８３・・・軸
【図１】
0006505566.tif 000002
【図２】
0006505566.tif 000003
【図３】
0006505566.tif 000004
【図４】
0006505566.tif 000005
【図５】
0006505566.tif 000006
【図６】
0006505566.tif 000007